(57)【要約】【課題】回路規模を大幅に増大することなく、同一性能で同期動作することについて評価を行うことができる復号装置及びその評価方法を提供すること。【解決手段】復号評価システム１は、復号器Ａ１１と、復号器Ａ１１と同一性能を有する復号器Ｂ２１と、復号器Ａ１１に接続された選択器１２と、選択器１２に接続された符号反転器１３と、復号器Ａ１１の出力に選択器１２を介して接続されると共に符号反転器１３及び復号器Ｂ２１と接続された加算器３１と、加算器３１の出力のチェックサムを判定するチェックサム回路３２と、選択器１２を制御する制御部とを有する。制御部は、復号器Ａ１１の出力を符号反転器１３に入力するよう制御し、チェックサム回路３２は、符号反転器１３の出力と復号器Ｂ２１の出力との加算結果のチェックサムを判定する。【選択図】図１
2008258705.tif 000002
【特許請求の範囲】
【請求項１】
第１の復号器と、
前記第１の復号器と同一性能を有する第２の復号器と、
前記第１の復号器に接続された第１の選択器と、
前記第１の選択器に接続された前記第１の符号反転器と、
前記第１の復号器の出力に前記第１の選択器を介して接続されると共に前記第１の符号反転器及び前記第２の復号器と接続された加算器と、
前記加算器の出力のチェックサムを判定するチェックサム回路と、
前記第１の選択器を制御する制御部とを有し、
前記制御部は、前記第１の復号器の出力が前記第１の符号反転器に入力するよう前記第１の選択器を制御し、
前記チェックサム回路は、前記第１の符号反転器の出力と前記第２の復号器の出力との加算結果のチェックサムを判定する復号装置。
【請求項２】
リファレンス信号を前記加算器に入力するリファレンス信号入力部を更に有し、
前記制御部は、前記第１の復号器の出力を前記第１の符号反転器に入力するよう制御し、
前記チェックサム回路は、前記第１の符号反転器の出力と前記リファレンス信号との加算結果のチェックサムを判定する
ことを特徴とする請求項１記載の復号装置。
【請求項３】
前記第２の復号器に接続された第２の選択器と、
前記第２の選択器に接続された前記第２の符号反転器とを更に有し、
前記制御部は、前記第２の復号器の出力を前記第２の符号反転器に入力するよう制御し、
前記チェックサム回路は、前記第２の符号反転器の出力と前記リファレンス信号との加算結果のチェックサムを判定する
ことを特徴とする請求項２記載の復号装置。
【請求項４】
２つの同一性能を有する第１及び第２の復号器を有する復号装置の評価方法であって、
前記第１の復号器の出力と、前記第２の復号器の出力の符号反転した結果とを加算し、
前記加算結果のチェックサムを判定する、復号装置の評価方法。
【請求項５】
前記第１の復号器の出力を符号反転した結果とリファレンス信号とを加算し、
前記加算結果のチェックサムを判定する、請求項４記載の復号装置の評価方法。
【発明の詳細な説明】
【技術分野】
【０００１】
本発明は、２つの同一性能を有する復号器を有する復号装置及び復号装置の評価方法に関する。
【背景技術】
【０００２】
ＤＶＤ（Digital Versatile Disk）などの従来規格のように単一ストリームの再生を行うだけのプレーヤに対応した動画処理ＬＳＩでは、複数の復号器を搭載する必要がないため、単一の復号器の評価を行うことができればよい。
【０００３】
従来、復号器の評価を行う際、リファレンスデータと復号器出力を比較する方法がある（特許文献１参照）。図６は、特許文献１に記載の試験機能付音声符号化・復号化装置を示す図である。図６に示すように、音声符号化復号装置２００は、Ａ／Ｄ変換器２１２、符号器２１３、比較回路２２０、復号器２１７、スイッチ２１６、及びＤ／Ａ変換器２１８を有する。端子２１１からアナログ音声信号が入力され、Ａ／Ｄ変換器２１２にてディジタル信号に変換される。このディジタル信号が符号器２１３で符号化され、端子２１４から出力される。スイッチ２１６は、符号器２１３から出力される音声データ又は端子２１５から入力される音声データのいずれか一方を選択する。復号器２１７はスイッチ２１６にて選択された音声データを復号し、Ｄ／Ａ変換器２１８はそれをアナログ信号に変換して端子２１９から出力する。比較回路２２０は、符号器２１３で音声データを得る過程で得られる局部復号データと、復号器２１７が出力する復号データとを比較するもので端子２２１からその結果を出力するため、これを参照することにより、符号器、復号器が正確に動作しているかの試験を行なう。
【０００４】
しかしながら、Ｂｌｕ‐ｒａｙ、ＨＤ  ＤＶＤ（Digital Versatile Disk）規格に対応したプレーヤでは、複数のストリームを、同期をとりながら復号する機能が必要である。そのため、民生用の動画処理ＬＳＩにも複数復号器が搭載されるのが一般的である。
【０００５】
図７に復号器を２つ有するシステムの一例を示す。図７に示すように、システム１００は、メインＴＳが入力されるストリームプロセッサ１０１、サブＴＳが入力されるストリームプロセッサ１０２、メインＴＳ用のＭＰＥＧビデオデコーダ１０３、サブＴＳ用のＭＰＥＧビデオデコーダ１０４を有する。ＭＰＥＧビデオデコーダ１０３、１０４は、ＡＶＣ、ＭＰＥＧ−２、ＶＣ１などの各規格に従ってデコードを実行する。なお、このシステム１００は、その他、メインＴＳ用オーディオデコーダ１０６、サブＴＳ用オーディオデコーダ１０７、ＩＧ（Interactive Graphics）デコーダ１０７、ＰＧ（Presentation Graphics）デコーダ１０８、テキストＳＴ（Sub Title）デコーダ１０９を有する。オーディオデコーダ１０６、１０７はＤＴＳ、ＡＣ−３等の各規格に従ってデコードを実行する。ＩＧデコーダ１０７は、ポップアップメニュ、ボタン等の情報が入ったＩＧストリームのデコードを行なう。ＰＧデコーダ１０８はＰＧストリーム（字幕）のデコードをする。テキストＳＴデコーダ１０９は、テキストＳＴストリーム（字幕）のデコードをする。
【０００６】
さらに、デコードしたビデオの出力をするビデオシンク１１０、１１１と、オーディオデコーダ１０５、１０６の出力をミキシングするオーディオミキサ１１２と、ミキシングしたオーディオを出力するオーディオ出力部１１３と、ＩＧデコーダ１０７の出力を表示するＩＧシンク１１４、ＰＧデコーダ１０８又はテキストＳＴデコーダの出力を表示するＰＧシンク１１５とを有する。
【０００７】
このような動画処理ＬＳＩに対して、特許文献１に記載の評価方法を用いた場合、次のようになる。図８は、２つの復号器を評価することができる試験機能付き復号装置を示す図である。
【０００８】
この復号装置３００は、入力ストリームＡが入力される復号器Ａ３１１と、復号器Ａ３１１の出力とリファレンス映像とを比較する比較回路３１２と、入力ストリームＢが入力される復号器Ｂ３１５と、復号器Ｂ３１５とリファレンス映像とを比較する比較回路３１６と、復号器Ａ３１１と復号器Ｂ３１５の出力をミキシングする加算器３１３と、復号器Ａ３１１及び復号器Ｂ３１５にクロックを供給するクロック回路３１４とを有する。この復号装置３００においては、比較回路３１２、３１６を復号器Ａ３１１、復号器Ｂ３１６の出力段に設け、リファレンス映像と比較することで個々の復号器の評価を行なうことができる。
【特許文献１】特開平１−１５５７１８号公報
【発明の開示】
【発明が解決しようとする課題】
【０００９】
しかしながら、このような動画処理ＬＳＩに対して、個々の復号器の評価だけでなく、２つの復号器が同一性能で同期動作することも評価する必要があるが、上述のような復号装置では、復号器Ａ３１１、復号器Ｂ３１５の出力を直接個々に評価しているため、複数存在する同一の復号器、この例では、復号器Ａ３１１と復号器Ｂ３１５とが同一性能で同期動作することについて評価を行うことができない。
【課題を解決するための手段】
【００１０】
本発明にかかる復号装置は、第１の復号器と、前記第１の復号器と同一性能を有する第２の復号器と、前記第１の復号器に接続された第１の選択器と、前記第１の選択器に接続された前記第１の符号反転器と、前記第１の復号器の出力に前記第１の選択器を介して接続されると共に前記第１の符号反転器及び前記第２の復号器と接続された加算器と、前記加算器の出力のチェックサムを判定するチェックサム回路と、前記第１の選択器を制御する制御部とを有し、前記制御部は、前記第１の復号器の出力が前記第１の符号反転器に入力するよう前記第１の選択器を制御し、前記チェックサム回路は、前記第１の符号反転器の出力と前記第２の復号器の出力との加算結果のチェックサムを判定するものである。
【００１１】
本発明にかかる復号装置の評価方法は、２つの同一性能を有する第１及び第２の復号器を有する復号装置の評価方法であって、前記第１の復号器の出力と、前記第２の復号器の出力の符号反転した結果とを加算し、前記加算結果のチェックサムを判定するものである。
【００１２】
本発明においては、２つの同一機能を有する復号装置の一方の出力と、他方の出力の符号反転した結果との加算結果のチェックサムを判定することで、同一性能の復号装置を評価することができる。
【発明の効果】
【００１３】
本発明によれば、回路規模を大幅に増大することなく、同一性能で同期動作することについて評価を行うことができる復号装置及びその評価方法を提供することができる。
【発明を実施するための最良の形態】
【００１４】
以下、本発明を適用した具体的な実施の形態について、図面を参照しながら詳細に説明する。本実施の形態においては、システム（復号装置）内に元々存在するミキサを使用し、ミキシング後に評価を行うことで、複数復号器からの出力に対して同一性能で同期動作することが評価可能となる。ミキサは、複数の復号器からの出力をミキシングして１つにするもので、全画面の映画の本編にシーン毎の監督のナレーションを子画面で重ねて表示するようなことを実現するため、２つの復号器を有するシステム内に元々存在する。本実施の形態においては、符号反転器及びチェックサム回路を設け、復号器のミキシング後の出力を評価することで、同期動作の評価を実現する。
【００１５】
図１は本発明の実施の形態にかかる復号装置を示すブロック図である。従来手法を複数復号器に適用した場合（図８）とは異なり、比較回路の代わりに復号器出力段に符号反転器を設け、ミキサ出力段にチェックサム回路を設けたことを特徴とする。
【００１６】
図１に示すように、本実施の形態にかかる復号器評価システム１は、第１の復号器Ａ１１と第２の復号器Ｂ２１を有する。第１の復号器Ａ１１には、スイッチ１２及び符号反転器１３が対応して設けられている。第２の復号器２１には、スイッチ２２及び符号反転器２３が対応して設けられている。そして、スイッチ１２を介して復号器Ａ１１の出力又は符号反転器１３の出力と、スイッチ２２を介した復号器Ｂ２１の出力又は符号反転器２３の出力とがミキシングされる加算器３１と、加算器３１の出力のチェックサムを検査するチェックサム回路３２と、復号器Ａ１１と復号器Ｂ２１とにクロックを供給するクロック回路３３とを有する。ミキシングされたデータは出力映像として出力される。
【００１７】
復号器Ａには、例えば入力ストリームＡが入力され、これを復号して出力する。出力された復号データは、スイッチ１２を介して直接又は符号反転器１３を経て加算器３１に入力される。同じく復号器Ｂ２１には、入力ストリームＢが入力され、これを復号して出力する。出力された復号データは、スイッチ２２を介して直接又は符号反転器２３を経て加算器３１に入力される。
【００１８】
スイッチ１２、２２は、図示しない制御部により、加算器３１側又は符号反転器１３、２３側を選択する。具体的には、後述するように、通常時においては、スイッチ１２、２２は、加算器３１側を選択し、同期動作評価時には、一方は加算器側、他方が符号反転器側を選択する。また、個々の復号器の評価の際には、符号反転器を選択し、リファレンス信号と反転信号とが加算され、加算結果はチェックサム回路に入力される。
【００１９】
図２は、チェックサム回路３２を示す図である。通常、チェックサムはバイト列を頭から順に加算し、総計の下位１バイト（８ｂｉｔ）を抽出し、その値を評価する。しかし、本実施の形態においては、評価の際、復号器出力の符号反転とミキシングすることでミキサ出力が０となるような入力を行うため、単純にミキサ出力の下位１バイト（８ｂｉｔ）が０となることを判定する回路を設けるだけでよい。よって、本実施の形態におけるチェックサム回路は図２に示すような、８つのＯＲゲート５１０〜５１７という単純な回路で実現することが可能である。すなわち、ＯＲゲート５１７に８ビットのうち上位２ビット（ｉ（８−１）、ｉ（８−２））が入力され、このＯＲゲート５１７の出力と次のビット（ｉ（５））
が入力される。そうして最後ＯＲゲート５１１の出力と最下位ビット（ｉ（０））がＯＲゲート５１０に入力されその出力がチェックサムの結果となる。この出力が０であればチェックサム出力が０であることを確認することができる。
【００２０】
図３は、本実施の形態にかかる復号器出力段に設ける符号反転器の一例を示すブロック図である。入力ｎビット（ｉ（ｎ‐１）〜ｉ（０））をインバータ４１ｎ−１に入力し、出力部４２ｎ−１より符号反転出力ｎビット（ｏ（ｎ‐１）〜ｏ（０））を出力する。この回路のゲート数は(ＯＲ＊１＋ＡＮＤ＊２＋ＮＯＴ＊２)＊ｎである。
【００２１】
ここで、本実施の形態においては従来手法における比較回路の代わりに、符号反転回器とチェックサム回路を設けたが、従来の比較回路と本実施の形態における符号反転回器の回路規模はほぼ同等とすることができる。図９は従来手法における比較回路の一例を示したものであり、比較部４０１ｎ−１とＡＮＤゲート４０２ｎ−１とからなる。この比較回路は、２つのｎビット入力（ｉ１（ｎ−１）〜ｉ１（０）及びｉ２（ｎ−１）〜ｉ２（０））に対して比較部４０１ｎ−１にて比較を行い、それぞれの論理和をＡＮＤゲート４０２ｎ−１でとって１ビットの出力ｏ（０）を出力する。この比較回路のゲート数は（ＯＲ＊１＋ＡＮＤ＊２＋ＮＯＴ＊２）＊ｎ＋ＡＮＤ＊(ｎ−１)であり、図３に示す符号反転回器とほぼ同等の大きさとなる。
【００２２】
すなわち、符号反転回器と比較回路はほぼ同等のゲート数（回路規模）であり、チェックサム回路３２も単純な回路で実現可能であるため、従来手法と比較しても回路規模はほぼ同等とすることができる。
【００２３】
次に、本実施の形態にかかる復号評価システム１の動作について説明する。まず、通常動作について説明する。図１に示すように、各復号器には別のストリーム、本例においては、復号器Ａ１１には、入力ストリームＡ、復号器Ｂ２１には入力ストリームＢを入力する。スイッチ１２、２２は、いずれも直接加算器３１に入力する側を選択しており、復号器Ａ１１、復号器Ｂ２１の出力は符号反転器を通さずに加算器３１へ出力される。加算器３１にてミキシングし、出力映像として出力される。
【００２４】
本例は、例えば、入力ストリームＡが本編映像、入力ストリームＢが監督のナレーションのような場合であり、２つの復号器Ａ１１、復号器Ｂ２１はクロック回路３３により同期をとりながら復号を行い、加算器３１にて１つの映像として重ね合わせて出力される。
【００２５】
次に、個々の復号器の評価方法について説明する。図４は、個々の復号器の評価方法を示す図である。図４に示すように、復号器Ａ１１に入力ストリームＡを入力し、その出力をスイッチ１２を介して符号反転器１３に入力する。加算器３１には、符号反転器１３の出力と、復号器Ａ１１の期待出力であるリファレンス映像とが入力される。これらを加算器３１にてミキシングし、結果をチェックサム回路３２に入力する。ミキシング結果のチェックサムをとることで復号器Ａ１１の出力評価を行う。すなわち、符号反転した復号器Ａ１１の出力とリファレンス映像のミキシング結果は０となるため、上述したように、出力の全ビットを比較する必要はなく、下位８ビットが０であるか否かをチェックする。同様にして、復号器Ｂ２１に対しても出力評価を行うことができる。これにより、従来手法で行っていた評価と同等の評価を実現することができる。
【００２６】
次に、同一復号器が同一性能で同期動作することを評価する場合について説明する。図５は、２つの復号器が同一性能で動作するか否かの評価方法を示す図である。図５に示すように、復号器Ａ１１及び復号器Ｂ２１に同一のストリームを入力する。この場合、一方の復号器Ａ１１の出力のみ符号反転回器を通してミキシングする。図５に示す例においては、復号器Ａ１１の出力をスイッチ１２を介して符号反転器１３に入力し、これを加算器３１に出力している。復号器Ｂ２１の入力はスイッチ２２を介して直接加算器３１に出力している。復号器Ａ１１および復号器Ｂ２１が同一性能で同期動作していれば、加算器３１の出力は０となるため、チェックサム回路３２により加算器３１の出力のチェックサムをとることで２つの復号器が同一性能で同期動作していることを評価することができる。
【００２７】
このように、個々の復号器出力を直接リファレンス映像と比較するのではなく、元々システムに存在する加算器３１を利用し、ミキシング後にチェックサムにより性能評価することで同時動作している復号器Ａ１１、復号器Ｂ２１に対する評価を行うことができる。その際、一方の復号器出力の符号反転と他方の復号器出力をミキシングすることにより、ミキサ出力は０となり、簡単なチェックサム回路３２を追加することのみで同期動作の評価を行うことが可能となる。
【００２８】
本実施の形態においては、簡単なチェックサム回路３２を追加することで、２つの復号器が同期動作することを評価することができる。また、従来同様、個々の復号器の評価に相当する評価も可能である。
【００２９】
なお、本発明は上述した実施の形態のみに限定されるものではなく、本発明の要旨を逸脱しない範囲において種々の変更が可能であることは勿論である。
【図面の簡単な説明】
【００３０】
【図１】本発明の実施の形態にかかる復号評価システムを示すブロック図である。
【図２】本発明の実施の形態にかかる復号評価システムにおけるチェックサム回路の一例を示す図である。
【図３】本発明の実施の形態にかかる復号評価システムにおける符号反転器の一例を示す図である。
【図４】本発明の実施の形態にかかる復号評価システムにおいて個々の復号器の評価方法を示す図である。
【図５】本発明の実施の形態にかかる復号評価システムにおいて、２つの復号器が同一性能で動作するか否かの評価方法を示す図である。
【図６】特許文献１に記載の試験機能付音声符号化・復号化装置を示す図である。
【図７】復号器を２つ有するシステムの一例を示す図である。
【図８】２つの復号器を評価することができる試験機能付き復号装置を示す図である。
【図９】従来の比較回路の一例を示す図である。
【符号の説明】
【００３１】
１１  復号器Ａ
１２、２２  スイッチ
１３、２３  符号反転器
２１  復号器Ｂ
３１  加算器
３２  チェックサム回路
３３  クロック回路
５１０〜５１７  ＯＲゲート
【図１】
2008258705.tif 000003
【図２】
2008258705.tif 000004
【図３】
2008258705.tif 000005
【図４】
2008258705.tif 000006
【図５】
2008258705.tif 000007
【図６】
2008258705.tif 000008
【図７】
2008258705.tif 000009
【図８】
2008258705.tif 000010
【図９】
2008258705.tif 000011